【手続補正書】
【提出日】平成17年3月7日(2005.3.7)
【手続補正１】
【補正対象書類名】明細書
【補正対象項目名】発明の名称
【補正方法】変更
【補正の内容】
【発明の名称】撮像装置、情報処理装置及び制御方法
【手続補正２】
【補正対象書類名】明細書
【補正対象項目名】特許請求の範囲
【補正方法】変更
【補正の内容】
【特許請求の範囲】
【請求項１】
撮像を行う撮像手段と、
前記撮像手段の出力信号を用いて画像データを生成する画像データ生成手段と、
前記画像データを出力する出力手段と、
撮像装置内で温度を検出する温度検出手段とを有し、
前記画像データを前記出力手段から出力しないようにするか否かを、前記温度検出手段により検出された温度を用いて判定できるようにしたことを特徴とする撮像装置。
【請求項２】
前記温度検出手段により検出された温度が所定値以上であると判定した後に前記温度検出手段により検出された温度が所定値以上でないと判定した場合において、前記画像データの前記出力手段からの出力が可能であることを外部の情報処理装置に通知できるようにしたことを特徴とする請求項１に記載の撮像装置。
【請求項３】
前記温度検出手段により検出された温度が所定値以上であると判定した後に前記画像データの出力の要求を外部の情報処理装置から受けた場合において、前記画像データの前記出力手段からの出力が可能でないことを前記情報処理装置に通知できるようにしたことを特徴とする請求項１又は２に記載の撮像装置。
【請求項４】
前記温度検出手段により検出された温度が所定値以上でないと判定した後に前記画像データの出力の要求を外部の情報処理装置から受けた場合において、前記画像データを前記出力手段から出力できるようにしたことを特徴とする請求項１乃至３の何れかに記載の撮像装置。
【請求項５】
前記画像データの前記出力手段からの出力を停止するか否かを、所定時間が経過したか否かに応じて判定できるようにしたことを特徴とする請求項１乃至４の何れかに記載の撮像装置。
【請求項６】
前記画像データを前記出力手段から出力しているときに外部の情報処理装置から撮影の要求を受けた場合において、前記画像データよりも高画質な画像データを生成できるようにしたことを特徴とする請求項１乃至５の何れかに記載の撮像装置。
【請求項７】
前記画像データを前記出力手段から出力しているときに外部の情報処理装置から撮影の要求を受けた場合において、前記画像データよりも大きなサイズの画像データを生成できるようにしたことを特徴とする請求項１乃至６の何れかに記載の撮像装置。
【請求項８】
撮像を行う撮像手段と、
前記撮像手段の出力信号を用いて画像データを生成する画像データ生成手段と、
前記画像データを出力する出力手段と、
撮像装置内で温度を検出する温度検出手段とを有する撮像装置の制御方法であって、
前記画像データを前記出力手段から出力しないようにするか否かを、前記温度検出手段により検出された温度を用いて判定できるようにしたことを特徴とする制御方法。
【請求項９】
前記温度検出手段により検出された温度が所定値以上であると判定した後に前記温度検出手段により検出された温度が所定値以上でないと判定した場合において、前記画像データの前記出力手段からの出力が可能であることを外部の情報処理装置に通知できるようにしたことを特徴とする請求項８に記載の制御方法。
【請求項１０】
前記温度検出手段により検出された温度が所定値以上であると判定した後に前記画像データの出力の要求を外部の情報処理装置から受けた場合において、前記画像データの前記出力手段からの出力が可能でないことを前記情報処理装置に通知できるようにしたことを特徴とする請求項８又は９に記載の制御方法。
【請求項１１】
前記温度検出手段により検出された温度が所定値以上でないと判定した後に前記画像データの出力の要求を外部の情報処理装置から受けた場合において、前記画像データを前記出力手段から出力できるようにしたことを特徴とする請求項８乃至１０の何れかに記載の制御方法。
【請求項１２】
前記画像データの前記出力手段からの出力を停止するか否かを、所定時間が経過したか否かに応じて判定できるようにしたことを特徴とする請求項８乃至１１の何れかに記載の制御方法。
【請求項１３】
前記画像データを前記出力手段から出力しているときに外部の情報処理装置から撮影の要求を受けた場合において、前記画像データよりも高画質な画像データを生成できるようにしたことを特徴とする請求項８乃至１２の何れかに記載の制御方法。
【請求項１４】
前記画像データを前記出力手段から出力しているときに外部の情報処理装置から撮影の要求を受けた場合において、前記画像データよりも大きなサイズの画像データを生成できるようにしたことを特徴とする請求項８乃至１３の何れかに記載の制御方法。
【請求項１５】
請求項１乃至７の何れかに記載の撮像装置から出力された画像データを表示手段に表示できるようにしたことを特徴とする情報処理装置。
【請求項１６】
請求項８乃至１４の何れかに記載の制御方法により制御される撮像装置から出力された画像データを表示手段に表示できるようにしたことを特徴とする情報処理装置。
【手続補正３】
【補正対象書類名】明細書
【補正対象項目名】０００１
【補正方法】変更
【補正の内容】
【０００１】
【発明の属する技術分野】
本発明は、外部の情報処理装置をファインダーとして利用することができる撮像装置等に関するものである。
【手続補正４】
【補正対象書類名】明細書
【補正対象項目名】０００５
【補正方法】変更
【補正の内容】
【０００５】
そこで、本発明は、外部の情報処理装置をファインダーとして利用することができる撮像装置の消費電力を抑えることができるようにすることを目的とする。
【手続補正５】
【補正対象書類名】明細書
【補正対象項目名】０００６
【補正方法】変更
【補正の内容】
【０００６】
【課題を解決するための手段】
本発明に係る撮像装置は、例えば、撮像を行う撮像手段と、前記撮像手段の出力信号を用いて画像データを生成する画像データ生成手段と、前記画像データを出力する出力手段と、撮像装置内で温度を検出する温度検出手段とを有し、前記画像データを前記出力手段から出力しないようにするか否かを、前記温度検出手段により検出された温度を用いて判定できるようにしたことを特徴とする。
【手続補正６】
【補正対象書類名】明細書
【補正対象項目名】０００７
【補正方法】変更
【補正の内容】
【０００７】
本発明に係る制御方法は、例えば、撮像を行う撮像手段と、前記撮像手段の出力信号を用いて画像データを生成する画像データ生成手段と、前記画像データを出力する出力手段と、撮像装置内で温度を検出する温度検出手段とを有する撮像装置の制御方法であって、前記画像データを前記出力手段から出力しないようにするか否かを、前記温度検出手段により検出された温度を用いて判定できるようにしたことを特徴とする。
【手続補正７】
【補正対象書類名】明細書
【補正対象項目名】０００８
【補正方法】変更
【補正の内容】
【０００８】
本発明に係る情報処理装置の一つは、例えば、上記撮像装置から出力された画像データを表示手段に表示できるようにしたことを特徴とする。
【手続補正８】
【補正対象書類名】明細書
【補正対象項目名】０００９
【補正方法】変更
【補正の内容】
【０００９】
本発明に係る情報処理装置の一つは、例えば、上記制御方法により制御される撮像装置から出力された画像データを表示手段に表示できるようにしたことを特徴とする。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００５７
【補正方法】変更
【補正の内容】
【００５７】
【発明の効果】
以上説明したように、本発明によれば、外部の情報処理装置をファインダーとして利用することができる撮像装置の消費電力を抑えることができる。
【手続補正１９】
【補正対象書類名】明細書
【補正対象項目名】００５８
【補正方法】削除
【補正の内容】